(57)【特許請求の範囲】
【請求項１】
第１入賞領域と第２入賞領域とを有する本体部材と、
その本体部材の前面に回動可能に枢着されており、前記第１入賞領域に遊技球を導く第１導球部と第２入賞領域に遊技球を導く第２導球部とが設けられた回転部材と、
その回転部材の前面に揺動可能に係止されており、内部に載置棚が設けられ、かつ、回転部材が回転した場合に前記第１導球部および第２導球部と次々に連通する通過口が設けられた揺動部材とを有しており、
入賞した遊技球を、前記揺動部材内部の載置棚上で転動させた後、前記回転部材の回転に伴って、前記通過口から前記回転部材の第１導球部あるいは第２導球部に振り分けて導き、しかる後、第１入賞領域あるいは第２入賞領域に入賞させることを特徴とするパチンコ機の入賞装置。
【発明の詳細な説明】
【０００１】
【発明の属する技術分野】
本発明は、パチンコ機の盤面に設けられる入賞装置に関するものである。
【０００２】
【従来の技術】
パチンコ機に設置される入賞装置の一つとして、遊技中に回転し続ける回転部材が設けられており、入賞した遊技球を、その入賞タイミングに応じて、第１入賞領域（大当たり孔）と第２入賞領域（はずれ孔）との何れかに振り分けるものが知られている。また、かかる入賞装置が設置されたパチンコ機においては、遊技球が第１入賞領域に入賞した場合には、遊技者にとって有利な特別遊技状態である「大当たり状態」が生起するようになっている。
【０００３】
【発明が解決しようとする課題】
しかしながら、上記従来の入賞装置が設置されたパチンコ機においては、遊技に精通した遊技者であれば、大当たり孔に入賞し易いように遊技球発射のタイミングをコントロールすることが可能であり、少ない遊技球の消費で「大当たり状態」を生起させることができるため、遊技に不慣れな遊技者が不公平感を抱いてしまう、という問題点があった。また、遊技球が入った後の入賞装置内の動作が単純であるため、面白味に欠け、遊技者がパチンコ機に対する興味を失ってしまうこともあった。
【０００４】
本発明の目的は、上記従来の課題を解消し、設置されたパチンコ機を、遊技の習熟度に関係なく誰でも同様に楽しめるものとすることが可能であるとともに、入賞した遊技球の大当たり孔・はずれ孔への振り分け方が複雑で変化に富んでおり、趣向性が高い入賞装置を提供することにある。
【０００５】
【課題を解決するための手段】
かかる本発明の内、第１の発明の構成は、第１入賞領域と第２入賞領域とを有する本体部材と、その本体部材の前面に回動可能に枢着されており、前記第１入賞領域に遊技球を導く第１導球部と第２入賞領域に遊技球を導く第２導球部とが設けられた回転部材と、その回転部材の前面に揺動可能に係止されており、内部に載置棚が設けられ、かつ、回転部材が回転した場合に前記第１導球部および第２導球部と次々に連通する通過口が設けられた揺動部材とを有しており、入賞した遊技球を、前記揺動部材内部の載置棚上で転動させた後、前記回転部材の回転に伴って、前記通過口から前記回転部材の第１導球部あるいは第２導球部に振り分けて導き、しかる後、第１入賞領域あるいは第２入賞領域に入賞させるパチンコ機の入賞装置にある。
【０００６】
【発明の実施の形態】
以下、本発明の入賞装置、および本発明の入賞装置が設置されたパチンコ機を図面に基いて詳細に説明する。
【０００７】
図１は、本発明の入賞装置の正面を示す説明図であり、図２は、入賞装置が分解された状態を示したものである。入賞装置１は、合成樹脂によって形成された前側本体部材２、後側本体部材３、回転部材４、揺動部材５、カバー部材６等の部品によって構成されている。
【０００８】
前側本体部材２は、最上部分が円弧状に切り欠かれた略楕円状の形状を有しており、中央よりやや下側の部分が扁平な円柱状に落とし込み形成されている。そして、その落とし込み部５０の円形の底板７には、軸挿通孔８、第１入賞領域である第１入賞口９、および第２入賞領域である第２入賞口１０が穿設されている。なお、第１入賞口９より第２入賞口１０の方が軸挿通孔８から離れた位置に穿設されている（すなわち、第１入賞口９から軸挿通口までの距離より第２入賞口１０から軸挿通孔８までの距離の方が長い）。また、前面の鍔状部１１の周囲には、パチンコ機に取り付けるための複数のビス孔１２，１２・・と、遊嵌孔１３とが穿設されている。
【０００９】
回転部材４は、前面の略円形の板状部１４の周囲に壁体１５が立設された扁平な円柱状に形成されている。また、板状部１４の周縁には、遊技球が２個程度入るスペースを有する（周縁から深く切り込み形成された）第１導球部１６と、遊技球が１個程度入るスペースを有する（周縁から浅く切り込み形成された）複数の第２導球部１７，１７・・とが設けられており、板状部１４の表側の中心には、揺動部材５を係止するための係止凹部１８が設けられている。なお、板状部１４の中心付近には装飾として複数の星形の切り欠き部１９，１９・・が穿設されている。そして、回転部材４は、板状部１４の裏側の中心に立設された回転軸２０を前側本体部材２の軸挿通孔８に嵌入させた状態で前側本体部材２の落とし込み部５０に収納されている。
【００１０】
後側本体部材３は、後面の略ドーナッツ状の板状体２１の周囲に壁４８が立設された扁平な円柱状に形成されており、中心のモータ挿通孔２２の左右には、それぞれ、一対の平行な壁板２３，２３によって仕切られた第１連絡路２４、および同一の形状の第２連絡路２５が設けられている。そして、前面の鍔体２６を前側本体部材２の底板７の裏側に当接させた状態で前側本体部材２に螺着されている。なお、前側本体部材２と螺着された状態において、第１連絡路２４および第２連絡路２５が、それぞれ、前側本体部材２の底板７に穿設された第１入賞口９および第２入賞口１０と連通した状態になっている。また、第１連絡路２４および第２連絡路２５には、それぞれ、遊技球の通過を検出する第１検出器２７、第２検出器２８が設置されている。
【００１１】
揺動部材５は、最上部分が円弧状に切り欠かれた略楕円状の板体２９の前面の周囲に側壁３０が立設された形状を有しており、側壁３０で囲まれた板体２９の前面には、複数の載置棚３１，３１・・が立設されている。各載置棚３１は、片端のみ側壁３０と一体になっており、上部を遊技球が転動できるようになっている。そして、それらの載置棚３１と側壁３０との連設際の内の下側の４箇所には、１個の遊技球が通過可能な程度の大きさの通過口３２，３２・・が穿設されており、載置棚３１上面、および載置棚３１と板体２９との連設際の３箇所には、遊技球を係止可能な凹部３３が設けられている。また、板体２９の裏側の中央よりやや下側には係止突起３４が、最上部付近には２本の揺動用突起３５，３５が、それぞれ立設されている。揺動部材５は、リング状のベアリング部材（図示せず）を介在させて回転部材４の係止凹部１８に係止突起３４を嵌入し、かつ、前側本体部材２の遊嵌孔１３に２本の揺動用突起３５，３５を嵌入した状態で、回転部材４の前面に、揺動可能に係止されている。
【００１２】
カバー部材６は、前面の板部３６が揺動部材５の板体２９より一回り大きく形成されており、その板部３６の裏面の上側約半分の周縁に側壁体３７が立設されている。また、板部３６の下側には、１個の遊技球が通過可能な程度の大きさの通過孔３８が穿設されている。そして、カバー部材６は、回転部材４の前面に係止された揺動部材５を前面から覆った状態で、側壁体３７の先端が前側本体部材２の鍔状部１１に螺着されており、回転部材４および揺動部材５を前側本体部材２から脱着させないようになっている。
【００１３】
なお、揺動部材５、およびカバー部材６は、それぞれ正面側が透明に形成されており、遊技者が入賞装置１に入賞した遊技球の動きを認識できるようになっている。また、回転部材４は、回転軸２０が後側本体部材３のモータ挿通孔２２の後方に配置された回転用モータ（図示せず）の主軸と接続されており、前側本体部材２の落とし込み形成部分に収納された状態で、回転軸２０を中心に回動可能になっている。
【００１４】
一方、図３（ｂ）に示すように、後側本体部材３の上方には、揺動部材５を揺動させるための揺動モータ３９が設置されているとともに、その主軸４９に装着された偏心カム４０が前側本体部材２の遊嵌孔１３に遊嵌された２本の揺動用突起３５，３５の間に配置されており、揺動モータ３９の主軸４９の回転に伴って、２本の揺動用突起３５，３５が遊嵌孔１３の内部を左右に往復動することによって、揺動部材５全体が揺動するようになっている。なお、図３（ａ）は、図３（ｂ）におけるＡ−Ａ線断面を示したものである。
【００１５】
以下、本発明の入賞装置１を設置したパチンコ機の一例について説明する。
【００１６】
図４は、入賞装置１を設置したパチンコ機の遊技領域を示したものであり、遊技領域４１の中央上部には、前側本体部材２の鍔状部１１の裏側を遊技領域４１の盤面に当接させるようにして入賞装置１が嵌め込み設置されている。なお、入賞装置１の上側には、図示しない多数の障害釘が打ち込まれているとともに、１個の遊技球が通過可能な程度の大きさだけ間隙が設けられており、その間隙を通過した遊技球のみ入賞装置１へ入るようになっている。また、カバー部材６の通過孔３８からも遊技球が入賞装置１内へ入るようになっているが、通過孔３８は、遊技店の従業員等が「大当たり状態」の作動内容をチェックする目的で「大当たり」を強制的に生起させる場合に利用するものであり、遊技中においては、遊技球は挿通孔３８から入賞装置１内へ入らないようになっている。入賞装置１の下側にはチューリップ形状の普通電動役物４２が設けられており、普通電動役物４２の両サイドには左ゲート４３、右ゲート４４がそれぞれ設けられている。さらに、普通電動役物４２の下側には大入賞口４５、複数の電飾ランプ４６，４６・・等が配設されており、大入賞口４５の下側には、図柄表示部４７が設けられている。また、遊技領域４１には、それらの他にも種々の入賞口、風車、電飾ランプ、および多数の障害釘（図示せず）等が設けられている。
【００１７】
パチンコ機に電源が投入されると、回転用モータ（図示せず）によって、入賞装置１の回転部材４が、１分間に６回転のペースで右回転し続ける（なお、後述する「高確率状態」以外の「通常状態」においては、回転部材４は右回転し続ける）。また、揺動用モータ３９およびその主軸４９に装着された偏心カム４０によって、揺動部材５が、１分間に６０回のペースで左右に揺動し続ける。
【００１８】
入賞装置１の上部に打ち込まれた障害釘（図示せず）の間隙等を通って入賞装置１に入った遊技球は、載置棚３１上を左右に揺れながら次第に下方へと流下する。その際における流下の仕方は常に一様なものではなく、入賞した際の遊技球の速度、揺動部材５の揺動のタイミングによって変化する。なお、揺動部材５の板体２９と載置棚３１の適宜箇所には凹部３３が設けられているので、たとえば、揺動部材５の揺動方向が変わる際に遊技球が凹部３３に一時的に停留した後再度凹部３３から飛び出して流下することもあり、凹部３３が設けられていない場合に比べて遊技球の流下の仕方が多様である。
【００１９】
そして、流下した遊技球が最下部の通過口３２まで到達したときに、回転部材４の第１導球部１６あるいは第２導球部１７が揺動部材５の最下部の通過口３２と連通していれば、遊技球は、その連通した何れかの導球部に導かれる。そして、導かれた第１導球部１６あるいは第２導球部１７の内部に保持された状態で、回転部材４の回転に伴って移動する。また、遊技球が最下部の通過口３２に到達したときに、回転部材４の各導球部が揺動部材５の通過口３２と連通していなければ、遊技球は、その位置に停留した後、通過口３２と最初に連通する第１導球部１６あるいは第２導球部１７に導かれ、その内部に保持された状態で、回転部材４の回転に伴って移動する。なお、遊技球が最下部の通過口３２より上側に設けられた通過口３２に到達したときに、その通過口３２と回転部材４の第１導球部１６あるいは第２導球部１７とが連通していれば、遊技球は、その連通した何れかの導球部に導かれ、その内部に保持された状態で、回転部材４の回転に伴って移動する。
【００２０】
第１導球部１６あるいは第２導球部１７の内部に保持された状態で回転部材４の回転に伴って移動した遊技球は、前側本体部材２の底板７に穿設された第１入賞口９あるいは第２入賞口１０まで導かれる。この際、図５（ａ）に示すように、第１導球部１６は、回転部材４の周縁が深く切り込まれて形成されているため、第１導球部１６が水平位置より上側に位置するまで回転部材４が回転した場合に、第１導球部１６内に保持された遊技球が軸心側まで斜めに落下するので、その第１導球部１６内に保持された遊技球は、本体部材の底板７の軸挿通孔８から離れた位置に穿設された第２入賞口１０に入賞することなく、軸挿通孔８から近い位置に穿設された第１入賞口９に入賞する。反対に、図５（ｂ）に示すように、第２導球部１７は、回転部材４の周縁が浅く切り込まれて形成されているので、第２導球部１７に保持された遊技球は、第１入賞口９に入賞することなく、第２入賞口１０に入賞する。
【００２１】
なお、回転部材４の周縁において、第１導球部１６の右側には、遊技球の半径の長さ程度離れた位置に第２導球部１７が形成されているので、回転部材４が右回転し続けている「通常状態」においては、遊技球は、第１導球部１６の右横の第２導球部１７が最下部の通過口３２と連通した直後に最下部の通過口３２に到達したときにのみ、第１導球部１６に導かれる。したがって、「通常状態」においては、最下部の通過口３２で停留した遊技球が第１導球部１６に導かれる確率は、第２導球部１７に導かれる確率よりきわめて低くなっている。また、回転部材４の周縁には、第１導球部１６が１個だけ設けられているのに対して、３個の第２導球部１７が設けられているので、遊技球が最下部以外の通過口３２から第１導球部１６に導かれる確率も、第２導球部１７に導かれる確率より低くなっている。
【００２２】
遊技球が第１導球部１６に導かれ、第１導球部１６に保持された状態で回転部材４の回転に伴って移動し、第１入賞口９に入賞した場合には、入賞した遊技球が、後側本体部材３の第１連絡路２４を通過するが、この際に、第１連絡路２４に設置された第１検出器２７が「大当たり」を検知する。一方、遊技球が第２導球部１７に導かれ、第２入賞口１０に入賞した場合には、入賞した遊技球が第２連絡路２５を通過し、第２連絡路２５に設置された第２検出器２８によって「はずれ」が検知され、遊技者へ所定数の賞品球が払い出される。
【００２３】
第１検出器２７が「大当たり」を検知すると、「大当たり状態」が生起し、遊技領域４１の下部に設けられた大入賞口４５が所定された回数分断続的に開成する。したがって、遊技者は多くの賞品球を獲得することができる。
【００２４】
大入賞口４５が所定回数分断続的に開成して１回目の「大当たり状態」を終了した後には、回転部材４の回転方向が左回転に切り替えられる。なお、第１導球部１６の左側には円周角度で１２０度ほど離れた位置に第２導球部１７形成されているので、回転部材４が左回転している間は、「通常状態」のように回転部材４が右回転している間に比べて、最下部の通過口３２で停留した遊技球が第１導球部１６に導かれる確率が、きわめて高いものとなる（以下、この回転部材４が左回転している状態を「高確率状態」という）。
【００２５】
そして、遊技球が再度第１入賞口９に入賞した場合には、２回目の「大当たり状態」が生起し、大入賞口４５が再度断続的に開成する。なお、２回目の「大当たり状態」が生起した場合には、回転部材４は右回転に切り替えられ、２回目の「大当り状態」が終了した後も右回転が継続される。すなわち、「通常状態」において「大当たり状態」が生起した場合のみ、回転部材４が左回転となる「高確率状態」が生起し、遊技者は、比較的に短時間で２回目の「大当たり状態」を生起させることができる。
【００２６】
上記の如く構成されたパチンコ機は、入賞装置１に入った遊技球が揺動部材５の載置棚３１上を不規則に転動しながら流下した後に第１入賞口９（大当たり孔）あるいは第２入賞口１０（はずれ孔）に振り分けられるので、たとえ遊技に精通した遊技者であっても、大当たり孔に入賞し易いように遊技球発射のタイミングをコントロールすることが不可能である。したがって、遊技の習熟度に関係なく誰でも同様に遊技を楽しむことができる。また、遊技球の流下の仕方が一様でなく、変化に富んだものであり、きわめて趣向性が高いので、遊技者は、いつまでも興味を持って遊技をし続けることができる。
【００２７】
なお、本発明の入賞装置、および本発明の入賞装置を設置するパチンコ機の構成は、上記した実施例の態様に何ら限定されるものではなく、前側本体部材、後側本体部材、回転部材、揺動部材、カバー部材等の各部品の形状・構造、パチンコ機の遊技領域における入賞装置の設置位置、入賞装置が設置されたパチンコ機の作動内容等を、本発明の主旨を逸脱しない範囲で、必要に応じて適宜変更できる。
【００２８】
たとえば、入賞装置は、遊技領域４１の盤面に平行に設置しても良いし、入賞装置の下部が前方（遊技者側）に位置するように傾斜させて設置しても良い。なお、傾斜させて設置した場合には、揺動部材の内部を流下する遊技球の速度が遅くなるため遊技者が遊技球の動きを把握し易い、というメリットがある。
【００２９】
【発明の効果】
第１の発明の入賞装置をパチンコ機に設置すれば、遊技に精通した遊技者であっても大当たり孔に入賞し易いように遊技球発射のタイミングをコントロールすることが不可能となるので、遊技の習熟度に関係なく誰でも同様に遊技を楽むことができる。また、パチンコ機の趣向性がきわめて高いものとなるので、遊技者は、いつまでも興味を持って遊技をし続けることができる。
【図面の簡単な説明】
【図１】実施例の入賞装置の正面を示す説明図である。
【図２】入賞装置を分解した状態を示す説明図である。
【図３】揺動部材を揺動する状態を示す説明図である。
【図４】入賞装置が設置されたパチンコ機の遊技領域４１を示す説明図である。
【図５】導球部に保持された遊技球が入賞領域に導かれる状態を示す説明図である。
【符号の説明】
１・・入賞装置、２・・前側本体部材、３・・後側本体部材、４・・回転部材、５・・揺動部材、６・・カバー部材、７・・底板、８・・軸挿通孔、９・・第１入賞口、１０・・第２入賞口、１１・・鍔状部、１２・・ビス孔、１３・・遊嵌部、１４・・板状部、１５・・壁体、１６・・第１導球部、１７・・第２導球部、１８・・係止凹部、１９・・切り欠き部、２０・・回転軸、２１・・板状部、２２・・モータ挿通孔、２３・・壁板、２４・・第１連絡路、２５・・第２連絡路、２６・・鍔体、２７・・第１検出器、２８・・第２検出器、２９・・板体、３０・・側壁、３１・・載置棚、３２・・通過口、３３・・凹部、３４・・係止突起、３５・・揺動用突起、３６・・板部、３７・・側壁体、３８・・通過孔、３９・・揺動用モータ、４０・・偏心カム、４１・・遊技領域、４２・・普通電動役物、４３・・左ゲート、４４・・右ゲート、４５・・大入賞口、４６・・電飾ランプ、４７・・図柄表示部、４８・・壁、４９・・主軸、５０・・落とし込み部、Ｙ・・遊技球。
【図１】
0003890616.tif 000002
【図２】
0003890616.tif 000003
【図３】
0003890616.tif 000004
【図４】
0003890616.tif 000005
【図５】
0003890616.tif 000006